(57)【特許請求の範囲】
【請求項１】
複数の竿体を連結してなる釣竿の最も穂先側に位置する穂先竿であって、
筒状の本体部と、
前記本体部の竿元側内部に設けられた光源部と、
前記本体部の穂先側端部に設けられ、前記光源部からの光を受けて発光する蛍光物質からなる発光部と、
前記本体部の内部に設けられ、前記穂先竿が直線上に延びている場合、前記光源部からの前記光を通じて前記発光部を照射させるとともに、前記穂先竿が直線上に延びていない場合、前記光源部からの前記光が前記発光部に届かないようにする光通路と
を備え、
前記発光部の点滅によって、前記本体部の振動を目視できるようにした
ことを特徴とする穂先竿。
【請求項２】
前記光源部は前記本体部に脱着自在に設けられている、請求項１に記載の穂先竿。
【請求項３】
前記発光部は前記本体部に脱着自在に設けられている、請求項１または２に記載の穂先竿。
【請求項４】
前記光源部は、前記本体部内に配置される電球部と前記電球部に隣接して前記本体部内に配置される電池とを有している、請求項１に記載の穂先竿。
【発明の詳細な説明】
【０００１】
【発明の属する技術分野】
本発明は、複数の竿体を連結してなる魚釣り用の釣竿において、最も穂先側に位置する穂先竿に関する。
【０００２】
【従来の技術】
従来の釣竿は、元竿と、元竿の穂先側に振出形式または並継形式で連結された複数の中竿と、中竿の穂先側に連結された穂先竿とを有している。この元竿は、竿元側端部に設けられたグリップと、グリップの穂先側に設けられリールを取り付け可能なリールシートとを有している。また、元竿〜穂先竿の各竿体の外周面には釣糸ガイドが配置されている。この従来の釣竿では、リールシートにリールを取り付け、リールからの釣糸を順次釣糸ガイドに通して穂先側へ導く。そしてグリップを把持してキャスティングやリトリーブ等の釣り操作を行う。
【０００３】
【発明が解決しようとする課題】
釣りを行う場合、ユーザは、各竿体を介してグリップに伝わる微妙な振動や穂先竿の穂先側先端の微妙な振動を見て、仕掛けに魚がかかった瞬間を判断して次の行動を起こす。しかし、特に夜間に行う夜釣りにおいては穂先竿の穂先側先端が目視できず、魚が仕掛けにかかった際の適切な行動が行い難い場合がある。
【０００４】
ここで、釣竿の穂先竿の外周に発光体を取り付けて、夜間でも穂先竿の動きをユーザが目視可能なようにした釣竿が知られている。しかし、このように穂先竿の外周に発光体を取り付けた釣竿では、竿体の周方向のバランスが崩れて竿操作が良好に行えない恐れがある。また、竿体以外の別体が竿体外周面に設置されているので意匠的にも好ましくない。
【０００５】
本発明の課題は、夜間においても微妙な振動が目視可能であり、かつ周方向のバランスに優れる穂先竿を提供することにある。
【０００６】
【課題を解決するための手段】
発明１の穂先竿は、複数の竿体を連結してなる釣竿の最も穂先側に位置する穂先竿であって、筒状の本体部と、本体部の竿元側内部に設けられた光源部と、本体部の穂先側端部に設けられ、光源部からの光を受けて発光する蛍光物質からなる発光部と、前記本体部の内部に設けられ、前記穂先竿が直線上に延びている場合、前記光源部からの前記光を通じて前記発光部を照射させるとともに、前記穂先竿が直線上に延びていない場合、前記光源部からの前記光が前記発光部に届かないようにする光通路とを備え、前記発光部の点滅によって、前記本体部の振動を目視できるようにしたことを特徴とする。
【０００７】
この場合には、本体部の竿元側内部に配置された光源部が筒状の本体部内を通して発光部に光を照射する。そして、発光部は光を受けて発光する。このようにして、穂先竿の穂先側端部に配置された発光部が発光するので、夜間の釣りにおいても微妙な穂先竿の振動が目視できる。ここで、光源部は本体部内に配置されているので、本体部の周方向のバランスを損なうこともなく、また意匠性も向上する。
【０００８】
発明２の穂先竿は、発明１の穂先竿であって、光源部は本体部に脱着自在に設けられている。
【０００９】
この場合には、光源部が脱着自在であり、必要に応じて光源部を交換可能である。また、特に光源部を必要としない昼間の釣りにおいては、光源部を穂先竿より取り外すことにより、穂先竿の軽量化も可能である。
【００１０】
発明３の穂先竿は、発明１または２の穂先竿であって、発光部は本体部に脱着自在に設けられている。
【００１１】
この場合には、発光部が脱着自在であり、必要に応じて発光部を交換可能である。
【００１２】
発明４の穂先竿は、発明１の穂先竿であって、光源部は、本体部内に配置される電球部と電球部に隣接して本体部内に配置される電池とを有している。
【００１３】
【発明の実施の形態】
［第１実施形態］
以下、本発明の第１実施形態について図面を参照しつつ説明する。
【００１４】
本発明の第１実施形態を採用した釣竿は、図１に示すように、元竿１と、元竿１の穂先側に連結される複数の竿体からなる竿体ユニット２と、竿体ユニット２の穂先側に連結された穂先竿１０とを有している。また、元竿１は、竿元側端部に配置されたグリップ５と、グリップ５の穂先側に設けられリール３を装着可能なリールシート４とを有している。
【００１５】
元竿１，竿体ユニット２は、それぞれ炭素繊維やガラス繊維に合成樹脂を含浸させたプリプレグをマンドレルに巻回して焼成して得られた先細り筒状部材である。また、元竿１及び竿体ユニット２には釣糸Ｌを挿通可能な釣糸ガイド６が所定の間隔を隔てて複数設けられている。そして、リール３からの釣糸Ｌは順次釣糸ガイド６を通って穂先側に導かれている。
【００１６】
グリップ５は、天然ゴム，スチレンゴムやブタジエンゴム等の合成ゴム，ＥＶＡ樹脂またはコルク等の木材からなるの円筒型部材であって、元竿１の所定の位置にはめ込まれて接着材等で固定されている。また、リールシート４は元竿１の所定の位置に合成樹脂または金属製部材を射出成型したものであり、リールの脚部を脱着自在に固定可能である。
【００１７】
穂先竿１０は、図２に示すように、筒状部材であって内部に光通路１００を有する本体部１１と、本体部１１の穂先側先端に装着された発光部１２と、本体部１１の竿元側内部に脱着自在に配置された光源部１３とを有している。また、元竿１等と同様に、本体部１１の外周には所定の位置に釣糸ガイド６が配置されている。
【００１８】
本体部１１は、元竿１と同様に、炭素繊維やガラス繊維に合成樹脂を含浸させたプリプレグをマンドレルに巻回して焼成して得られた先細り筒状部材である。穂先側の内周面にはねじ山が形成されており、後に詳しく説明するように発光部１２が脱着自在に装着可能な雌ねじ部１１ａとなっている。また、竿元側には内周面に沿ってパイプ状の弾性部材１４が配置されている。
【００１９】
発光部１２は、光を受けて発光する蛍光物質からなる部材である。例えば、亜鉛，カドミウム等の酸化物，硫化物，白金シアン錯塩等の化合物から形成される。この発光部１２は円筒状部分１２ａと円筒状部分１２ａに比べてやや小径に形成され本体部１１の雌ねじ部に螺合可能な雄ねじ部１２ｂとを有している。
【００２０】
光源部１３は棒状の部材であり、本体部１１の竿元側から本体部１１内に挿入されて弾性部材１４内に脱着自在に固定可能である。この光源部１３は光を発生する部材であり、例えば、ケミホタル（商品名：日本化学発光(株)）等を用いることができる。そして、弾性部材１４の内径よりやや大きな外径を有しており、弾性部材１４の弾性によって弾性部材１４内に収納され固定されている。
【００２１】
このように構成された釣竿では、穂先竿１０の穂先側先端がよく目視できない、例えば、夜間に釣りを行う場合、本体部１１の竿元側から光源部１３を挿入して固定する。そして、穂先竿１０を竿体ユニット２の穂先側に連結して一本の竿体として釣りを行う。ここで、穂先竿１０が直線状に伸びている通常の場合には、穂先竿１０の本体部１１の竿元側内部に配置された光源部１３は本体部１１内の光通路１００を通して発光部１２に光を照射する。そして、発光部１２はこの光を受けて発光する。魚が仕掛けにかかって穂先竿１０が振動する場合、発光部１２が穂先竿１０の振動とともに振動する。また、振動して穂先竿１０が撓むと光源部１３からの光が発光部１２に届かなくなり、発光部１２は発光を止める。即ち、本体部１１の振動に応じて発光部１２は点滅する。
【００２２】
以上のように、穂先竿１０の穂先側端部に配置された発光部１２が、光源部１３によって発光して、さらに穂先竿１０の振動に応じて振動しまたは点滅して、ユーザに穂先竿１０の振動を知らせる。この結果、夜間の釣りにおいても微妙な穂先竿１０の振動が確認できる。なお、光源部１３は本体部内に配置されているので、穂先竿１０の本体部１１の周方向のバランスを損なうことがない。また意匠性も向上する。さらに、発光部１２及び光源部１３は脱着自在であり、必要に応じて交換でき、不要時に取り外すことによって竿体の軽量化も可能である。
［第２実施形態］
以下、本発明の第２実施形態について図面を参照しつつ説明する。
【００２３】
本発明の第２実施形態を採用した釣竿の最も穂先側に連結される穂先竿２０は、図３に示すように、筒状部材であって内部に光通路１００を有する本体部２１と、本体部２１の穂先側先端に装着された発光部２２と、本体部２１の竿元側内部に配置された電球２３と、電球２３に隣接して本体部２１の竿元側内部に配置された電池２４とを有している。そして、本体部２１の竿元側端部はキャップ２５によって閉栓されている。また、元竿１等と同様に、本体部２１の外周には所定の位置に釣糸ガイド６が配置されている。
【００２４】
本体部２１は、元竿１と同様に、炭素繊維やガラス繊維に合成樹脂を含浸させたプリプレグをマンドレルに巻回して焼成して得られた先細り筒状部材である。穂先側の内周面及び竿元側の内周面にはそれぞれねじ山が形成されており、それぞれ、発光部２２が脱着自在に装着可能な雌ねじ部２１ａとキャップ２５が脱着自在に装着可能な雌ねじ部２１ｂとになっている。
【００２５】
発光部２２は、第１実施形態と同様に、光を受けて発光する蛍光物質からなる部材である。そして、円筒状部分２２ａと円筒状部分２２ａに比べてやや小径に形成され本体部２１の雌ねじ部に螺合可能な雄ねじ部２２ｂとを有している。
電球２３及び電池２４は、発光部２２に光を照射する光源部に該当する。電球２３は本体部２１の竿元側の内部に配置され、隣接して本体部２１に挿入される電池２４の一方の極に接触するようになっている。また、電球２３からキャップ２５にかけて導線（図示せず）が配線されている。キャップ２５は本体部２１の雌ねじ部２１ｂに螺合して本体部２１の竿元側端部を塞ぐものである。また、キャップ２５の穂先側先端であって電池２３の他方の極に接触する部分には金属板（図示せず）が配置されている。そして、本体部２１に挿入固定時に電池２４の他極に接触するキャップ２５を介して、電池２４から電球２３に電流が供給される。
【００２６】
このように構成された釣竿では、第１実施形態と同様の作用効果を奏する。
［第３実施形態］
以下、本発明の第３実施形態について図面を参照しつつ説明する。
【００２７】
本発明の第３実施形態を採用した釣竿の最も穂先側に連結される穂先竿３０は、図４に示すように、筒状部材であって内部に光通路１００を有する本体部３１と、本体部３１の穂先側先端に装着された電球３２と、本体部３１の竿元側内部に配置された電池３３とを有している。そして、本体部３１内部の電池３３の穂先側には止板３４が配置されており、本体部３１の竿元側端部はキャップ３５によって閉栓されている。また、元竿１等と同様に、本体部３１の外周には所定の位置に釣糸ガイド６が配置されている。
【００２８】
本体部３１は、元竿１と同様に、炭素繊維やガラス繊維に合成樹脂を含浸させたプリプレグをマンドレルに巻回して焼成して得られた先細り筒状部材である。穂先側の内周面及び竿元側の内周面にはそれぞれねじ山が形成されており、それぞれ、電球３２が脱着自在に装着可能な雌ねじ部３１ａとキャップ３５が脱着自在に装着可能な雌ねじ部３１ｂとになっている。
【００２９】
電球３２は、本体部１１の穂先側端部の雌ねじ部３１ａに螺合して脱着自在に固定可能である。電球３２からは止板３４及びキャップ３５にそれぞれ導線（図示せず）が連絡している。止板３４は金属製部材であり、本体部３１内に竿元側から挿入される電池３３の一方の極に接触し、また電池３３の位置決めをしている。キャップ３５は本体部３１の雌ねじ部３１ｂに螺合して本体部３１の竿元側を塞ぐものである。また、電池３３の他方の極に接触する穂先側先端には金属板（図示せず）が配置されている。そして、この止板３４及びキャップ３５を介して電池３３の電流が電球３２に供給される。
【００３０】
このように構成された釣竿では、穂先竿３０の穂先側先端がよく目視できない、例えば、夜間に釣りを行う場合、本体部３１の竿元側から電池３３を挿入してキャップ３５を本体部３１に螺合して固定する。そして、穂先竿３０を竿体ユニット２の穂先側に連結して一本の竿体として釣りを行う。本体部３１の穂先側に固定されている電球３２は電池３３から電流を供給され発光し、穂先竿３０の振動をユーザに知らせる。なお、電池３３は本体部３１内に配置されているので、穂先竿３０の本体部３１の周方向のバランスを損なうことがない。
［第４実施形態］以下、本発明の第４実施形態について図面を参照しつつ説明する。
【００３１】
本発明の第４実施形態を採用した釣竿は、第１実施形態と同様に、元竿１と、元竿１の穂先側に連結される複数の竿体からなる竿体ユニット２と、竿体ユニット２の穂先側に連結された穂先竿４０とを有している。また、穂先竿４０の穂先側端部にはトップガイド５０が取り付けられている。
【００３２】
穂先竿４０は、図５に示すように、筒状部材であって内部に光通路１００を有する本体部４１と、本体部４１の穂先側先端に装着された発光部４２と、本体部４１の竿元側内部に脱着自在に配置された光源部４３とを有している。
【００３３】
本体部４１は、元竿１と同様に、炭素繊維やガラス繊維に合成樹脂を含浸させたプリプレグをマンドレルに巻回して焼成して得られた先細り筒状部材である。穂先側の内周面にはねじ山が形成されており、後に詳しく説明するように発光部４２が脱着自在に装着可能な雌ねじ部４１ａとなっている。また、竿元側には内周面に沿ってパイプ状の弾性部材４４が配置されている。
【００３４】
発光部４２は、光を受けて発光する蛍光物質からなる部材である。この発光部４２は円筒状部分４２ａと円筒状部分４２ａに比べてやや小径に形成され本体部４１の雌ねじ部に螺合可能な雄ねじ部４２ｂとを有している。また、光源部４３は棒状の部材であり、本体部４１の竿元側から本体部４１内に挿入されて弾性部材４４内に脱着自在に固定可能である。そして、弾性部材４４の内径よりやや大きな外径を有しており、弾性部材４４の弾性によって弾性部材４４内に収納され固定されている。
【００３５】
トップガイド５０は、図５に示すように、蓋付円筒型部材であるガイド本体部５１と、ガイド本体部５１の先端側にほぼ９０度折れ曲がって連結されたガイド脚部５２と、ガイド脚部５２の先端に形成されたリング状部５３と、リング状部５３にはめ込まれたセラミックリング５４とを有している。また、リング状部５３からガイド本体部５１の竿元側周面には補助脚部５５が設けられている。
【００３６】
ガイド本体部５１は合成樹脂または金属からなる部材であり、穂先竿４０の穂先側に脱着自在にはめ込まれて固定されている。このガイド本体部５１の穂先側であって、発光部４２が配置される付近には光孔５１ａが形成されている。また、ガイド脚部５２，リング状部５３及び補助脚部５５は、ガイド本体部５１と同様の合成樹脂または金属から形成され、成型後に接着または溶着若しくはガイド本体部５１と一体で成型される。
【００３７】
このように構成された釣竿では、第１実施形態と同様の作用効果を奏する。
【００３８】
【発明の効果】
本発明にかかる穂先竿は、本体部内に光源部を有しこの光源部によって発光部が発光するので、夜間においても微妙な振動が目視可能であり、かつ周方向のバランスに優れる。
【図面の簡単な説明】
【図１】本発明の第１実施形態を採用した釣竿の全体図。
【図２】本発明の第１実施形態を採用した穂先竿の拡大断面図。
【図３】本発明の第２実施形態を採用した穂先竿の拡大断面図。
【図４】本発明の第３実施形態を採用した穂先竿の拡大断面図。
【図５】本発明の第４実施形態を採用した穂先竿付近の拡大断面図。
【符号の説明】
１  元竿
２  竿体ユニット
１０，２０，３０，４０  穂先竿
１１，２１，３１，４１  本体部
１２，２２，４３  発光部
１３  光源部
１４  弾性部材
２３，３２  電球
２４，３３  電池
２５，３５  キャップ
５０  トップガイド
【図１】
0004093511.tif 000002
【図２】
0004093511.tif 000003
【図３】
0004093511.tif 000004
【図４】
0004093511.tif 000005
【図５】
0004093511.tif 000006